(57)【要約】【構成】放射線撮影システムは、患者を対象として放射線撮影を行う撮影装置６０から出力された撮影画像を検像作業のために表示する検像端末８０と、撮影装置６０を管理するＲＩＳ端末４０とを備える。検像端末８０に設けられたＣＰＵは、患者が被ばくする放射線量の推奨範囲を推奨範囲調整操作に従って調整する。ＲＩＳ端末４０に設けられたＣＰＵは、検像端末８０によって調整された推奨範囲をモニタに表示し、かつ同一患者が過去に被ばくした放射線量をモニタに表示する。推奨範囲および放射線量はいずれも、検査ガイド上に描画ないし記載される。【効果】放射線量の推奨範囲を医療施設毎に管理しつつ、放射線量を患者毎に適正値に調整することができる。【選択図】図１
2017213288.tif 000002
【特許請求の範囲】
【請求項１】
患者を対象として放射線撮影を行う放射線撮影装置から出力された撮影画像を検像作業のために表示する検像端末と、前記放射線撮影装置を管理する放射線科情報端末とを備える放射線撮影支援システムであって、
前記検像端末は、
前記患者が被ばくする放射線量の推奨範囲を推奨範囲調整操作に従って調整する推奨範囲調整手段を備え、
前記放射線科情報端末は、
前記推奨範囲調整手段によって調整された推奨範囲を表示する推奨範囲表示手段、および
同一患者が過去に被ばくした放射線量を前記推奨範囲表示手段の処理に関連して表示する放射線量表示手段を備える、放射線撮影支援システム。
【請求項２】
前記放射線撮影装置を操作するコンソールをさらに備え、
前記コンソールは、
前記患者の体格を表す体格係数を取得する体格係数取得手段、および
前記体格係数取得手段によって取得された体格係数と前記放射線撮影装置の撮影条件とに基づいて前記患者が被ばくする放射線量を出力する放射線量出力手段を備える、請求項１記載の放射線撮影支援システム。
【請求項３】
前記コンソールは前記放射線撮影装置の撮影条件を撮影条件調整操作に応答して調整する撮影条件調整手段をさらに備え、
前記放射線量出力手段は前記撮影条件調整手段の処理に関連して前記放射線量を更新する放射線量更新手段を含む、請求項２記載の放射線撮影支援システム。
【請求項４】
前記検像端末は前記患者が過去に被ばくした放射線量の統計を表示する統計表示手段をさらに備え、
前記推奨範囲調整手段は前記統計表示手段の処理に関連して前記推奨範囲調整操作を受け付ける推奨範囲調整操作受け付け手段を含む、請求項１ないし３のいずれかに記載の放射線撮影支援システム。
【請求項５】
前記統計表示手段は前記推奨範囲を追加的に表示する、請求項４記載の放射線撮影支援システム。
【請求項６】
前記統計表示手段は集計設定を参照して前記統計を作成する統計作成手段を含み、
前記検像端末は設定変更操作に従って前記集計設定を変更する集計設定変更手段をさらに備える、請求項４または５記載の放射線撮影支援システム。
【請求項７】
前記推奨範囲調整手段は前記推奨範囲を定義する数値を入力する入力画面を表示する入力画面表示手段を含み、
前記推奨範囲調整操作受け付け手段は前記入力画面表示手段によって表示された入力画面上で前記推奨範囲調整操作を受け付ける、請求項４ないし６のいずれかに記載の放射線撮影支援システム。
【請求項８】
前記検像端末は検査部位を指定する指定操作を受け付ける指定操作受け付け手段をさらに備え、
前記統計表示手段は前記指定操作によって指定された検査部位を対象として前記統計を表示する、請求項４ないし７のいずれかに記載の放射線撮影支援システム。
【請求項９】
前記検像端末は、
所望の放射線量を選択する選択操作を前記統計表示手段の処理に関連して受け付ける選択操作受け付け手段、および
前記選択操作によって選択された放射線量に対応する撮影画像を表示する撮影画像表示手段をさらに備える、請求項４ないし８のいずれかに記載の放射線撮影支援システム。
【請求項１０】
前記検像端末は、
所望のコメントを入力するコメント入力操作を前記撮影画像表示手段の処理に関連して受け付けるコメント入力操作受け付け手段、および
前記コメント入力操作によって入力されたコメントを登録するコメント登録手段をさらに備え、
前記放射線科情報端末は前記コメント登録手段によって登録されたコメントのうち前記同一患者を対象とするコメントを前記放射線量表示手段の処理に関連して表示するコメント表示手段をさらに備える、請求項９記載の放射線撮影支援システム。
【請求項１１】
患者を対象として放射線撮影を行う放射線撮影装置から出力された撮影画像を検像作業のために表示する検像端末によって実行される第１放射線撮影支援方法と、前記放射線撮影装置を管理する放射線科情報端末によって実行される第２放射線撮影支援方法とを備える複合放射線撮影支援方法であって、
前記第１放射線撮影支援方法は、
前記患者が被ばくする放射線量の推奨範囲を推奨範囲調整操作に従って調整する推奨範囲調整ステップを備え、
前記第２放射線撮影支援方法は、
前記推奨範囲調整ステップによって調整された推奨範囲を表示する推奨範囲表示ステップ、および
同一患者が過去に被ばくした放射線量を前記推奨範囲表示ステップの処理に関連して表示する放射線量表示ステップを備える、複合放射線撮影支援方法。
【請求項１２】
患者を対象として放射線撮影を行う放射線撮影装置から出力された撮影画像を検像作業のために表示する検像端末に提供される第１放射線撮影支援プログラムと、前記放射線撮影装置を管理する放射線科情報端末に提供される第２放射線撮影支援プログラムとを備える複合放射線撮影支援プログラムであって、
前記第１放射線撮影支援プログラムは、
前記患者が被ばくする放射線量の推奨範囲を推奨範囲調整操作に従って調整する推奨範囲調整ステップを前記検像端末のプロセッサに実行させるためのプログラムであり、
前記第２放射線撮影支援プログラムは、
前記推奨範囲調整ステップによって調整された推奨範囲を表示する推奨範囲表示ステップ、および
同一患者が過去に被ばくした放射線量を前記推奨範囲表示ステップの処理に関連して表示する放射線量表示ステップを前記放射線科情報端末のプロセッサに実行させるためのプログラムである、複合放射線撮影支援プログラム。
【発明の詳細な説明】
【技術分野】
【０００１】
この発明は、放射線撮影支援システムに関し、特に、患者を対象として放射線撮影を行う放射線撮影装置から出力された撮影画像を検像作業のために表示する検像端末と、放射線撮影装置を管理する放射線科情報端末とを備える、放射線撮影支援システムに関する。
【０００２】
この発明はまた、複合放射線撮影支援方法に関し、特に、患者を対象として放射線撮影を行う放射線撮影装置から出力された撮影画像を検像作業のために表示する検像端末によって実行される第１放射線撮影支援方法と、放射線撮影装置を管理する放射線科情報端末によって実行される第２放射線撮影支援方法とを備える、複合放射線撮影支援方法に関する。
【０００３】
この発明はさらに、複合放射線撮影支援プログラムに関し、特に、患者を対象として放射線撮影を行う放射線撮影装置から出力された撮影画像を検像作業のために表示する検像端末に提供される第１放射線撮影支援プログラムと、放射線撮影装置を管理する放射線科情報端末に提供される第２放射線撮影支援プログラムとを備える、複合放射線撮影支援プログラムに関する。
【背景技術】
【０００４】
医療現場において、放射線撮影は、患者の解剖学的情報や機能的情報を得る上で大きな役割を果たしている。その一方で、放射線は、人体を透過する際に細胞を損傷させてしまうおそれがある。
【０００５】
したがって、放射線撮影時に患者に照射される放射線量つまり撮影線量は、リスク（放射線被ばくによる将来的な影響）およびベネフィット（診断が付き治療方針を決めることが出来る）の両方を見極めた上で、過剰な被ばくを回避できかつ画質を維持できる値つまり適正値に調整する必要がある。
【０００６】
国際的に見ると、ＩＣＲＰ(International Commission on Radiological Protection)の諸勧告や、ＩＡＥＡ(International Atomic Energy Agency)の国際基本安全基準など指針において、診断参考レベル(Diagnostic Reference Level：DRL)が診断領域の医療放射線防護において最適化のツールであるとされている。
【０００７】
非特許文献１では、被ばくおよび画質の両方を担保する概念として、ＤＲＲ(Diagnostic Reference Range)という考え方が開示されている。これは、ＤＲＬで設定されている上方値に限らず、画質維持の目的で下方値も設定し、放射線量の適正値を幅を持たせて捉えるという考え方である。
【先行技術文献】
【非特許文献】
【０００８】
【非特許文献１】Goske M, Strauss K, Coombs L, et al., 2013. Diagnostic reference ranges for pediatric abdominal CT. Radiology 268, 208-218.
【発明の概要】
【発明が解決しようとする課題】
【０００９】
しかし、撮影装置や処理のプロトコルは医療施設によって異なるため、適正な撮影線量の範囲も医療施設によって異なる。また、患者の体重，体格，手術歴等により標準的患者よりも高い線量が必要とされる場合や、標準的患者よりも少ない線量で十分な画質が得られる場合があるため、撮影線量の適正値は患者毎に異なる。にも関わらず、非特許文献１は、放射線量を如何にして管理しかつ調整するかを開示していない。
【００１０】
それゆえに、この発明の主たる目的は、放射線量の推奨範囲を医療施設毎に管理しつつ、放射線量を患者毎に適正値に調整することができる、放射線撮影支援システム、複合放射線撮影支援方法、および複合放射線撮影支援プログラムを提供することである。
【課題を解決するための手段】
【００１１】
この発明に係る放射線撮影支援システムは、患者を対象として放射線撮影を行う放射線撮影装置(60)から出力された撮影画像を検像作業のために表示する検像端末(80)と、放射線撮影装置を管理する放射線科情報端末(40)とを備える放射線撮影支援システムであって、検像端末は、患者が被ばくする放射線量の推奨範囲を推奨範囲調整操作に従って調整する推奨範囲調整手段(S179, S193, S203~S213)を備え、放射線科情報端末は、推奨範囲調整手段によって調整された推奨範囲を表示する推奨範囲表示手段(S49, S53)、および同一患者が過去に被ばくした放射線量を推奨範囲表示手段の処理に関連して表示する放射線量表示手段(S51, S53)を備える。
【００１２】
好ましくは、放射線撮影装置を操作するコンソール(50)がさらに備えられ、コンソールは、患者の体格を表す体格係数(Dw)を取得する体格係数取得手段(S79, S81)、および体格係数取得手段によって取得された体格係数と放射線撮影装置の撮影条件とに基づいて患者が被ばくする放射線量を出力する放射線量出力手段(S83, S89)を備える。
【００１３】
さらに好ましくは、コンソールは放射線撮影装置の撮影条件を撮影条件調整操作に応答して調整する撮影条件調整手段(S85, S87)がさらに備えられ、放射線量出力手段は撮影条件調整手段の処理に関連して放射線量を更新する放射線量更新手段(S89)を含む。
【００１４】
好ましくは、検像端末は患者が過去に被ばくした放射線量の統計を表示する統計表示手段(S141, S147, S167, S169)がさらに備えられ、推奨範囲調整手段は統計表示手段の処理に関連して推奨範囲調整操作を受け付ける推奨範囲調整操作受け付け手段(S179, S193, S203~S211)を含む。
【００１５】
或る局面では、統計表示手段は推奨範囲を追加的に表示する。
【００１６】
他の局面では、統計表示手段は集計設定を参照して統計を作成する統計作成手段(S225~S229)を含み、検像端末は設定変更操作に従って集計設定を変更する集計設定変更手段(S159, S161)をさらに備える。
【００１７】
その他の局面では、推奨範囲調整手段は推奨範囲を定義する数値を入力する入力画面を表示する入力画面表示手段(S197)を含み、推奨範囲調整操作受け付け手段は入力画面表示手段によって表示された入力画面上で推奨範囲調整操作を受け付ける。
【００１８】
さらにその他の局面では、検像端末は検査部位を指定する指定操作を受け付ける指定操作受け付け手段(S133, S135)をさらに備え、統計表示手段は指定操作によって指定された検査部位を対象として統計を表示する。
【００１９】
他の局面では、検像端末は、所望の放射線量を選択する選択操作を統計表示手段の処理に関連して受け付ける選択操作受け付け手段(S143, S153)、および選択操作によって選択された放射線量に対応する撮影画像を表示する撮影画像表示手段(S169)をさらに備える。
【００２０】
さらに好ましくは、検像端末は、所望のコメントを入力するコメント入力操作を撮影画像表示手段の処理に関連して受け付けるコメント入力操作受け付け手段(S177, S187)、およびコメント入力操作によって入力されたコメントを登録するコメント登録手段(S197)をさらに備え、放射線科情報端末はコメント登録手段によって登録されたコメントのうち同一患者を対象とするコメントを放射線量表示手段の処理に関連して表示するコメント表示手段(S55, S57)をさらに備える。
【００２１】
この発明に係る複合放射線撮影支援方法は、患者を対象として放射線撮影を行う放射線撮影装置(60)から出力された撮影画像を検像作業のために表示する検像端末(80)によって実行される第１放射線撮影支援方法と、放射線撮影装置を管理する放射線科情報端末(40) によって実行される第２放射線撮影支援方法とを備える複合放射線撮影支援方法であって、第１放射線撮影支援方法は、患者が被ばくする放射線量の推奨範囲を推奨範囲調整操作に従って調整する推奨範囲調整ステップ(S179, S193, S203~S213)を備え、第２放射線撮影支援方法は、推奨範囲調整ステップによって調整された推奨範囲を表示する推奨範囲表示ステップ(S49, S53)、および同一患者が過去に被ばくした放射線量を推奨範囲表示ステップの処理に関連して表示する放射線量表示ステップ(S51, S53)を備える。
【００２２】
この発明に係る複合放射線撮影支援プログラムは、患者を対象として放射線撮影を行う放射線撮影装置(60)から出力された撮影画像を検像作業のために表示する検像端末(80)に提供される第１放射線撮影支援プログラムと、放射線撮影装置を管理する放射線科情報端末(40) に提供される第２放射線撮影支援プログラムとを備える複合放射線撮影支援プログラムであって、第１放射線撮影支援プログラムは、患者が被ばくする放射線量の推奨範囲を推奨範囲調整操作に従って調整する推奨範囲調整ステップ(S179, S193, S203~S213)を検像端末のプロセッサ(70pr)に実行させるためのプログラムであり、第２放射線撮影支援プログラムは、推奨範囲調整ステップによって調整された推奨範囲を表示する推奨範囲表示ステップ(S49, S53)、および同一患者が過去に被ばくした放射線量を推奨範囲表示ステップの処理に関連して表示する放射線量表示ステップ(S51, S53)を放射線科情報端末のプロセッサ(40pr)に実行させるためのプログラムである。
【発明の効果】
【００２３】
患者が被ばくする放射線量の推奨範囲は検像端末によって調整されるため、推奨範囲を医療施設毎に管理することができる。また、検像端末によって調整された推奨範囲は今回の放射線撮影の対象となる患者が過去に被ばくした放射線量とともに放射線科情報端末に表示されるため、被ばく放射線量を患者毎に適正値に調整することができる。
【００２４】
この発明の上述の目的，その他の目的，特徴および利点は、図面を参照して行う以下の実施例の詳細な説明から一層明らかとなろう。
【図面の簡単な説明】
【００２５】
【図１】この実施例に適用される医療システムの構成の一例を示すブロック図である。
【図２】図１に示すＲＩＳ端末または検像端末の構成の一例を示すブロック図である。
【図３】図１に示すＲＩＳサーバまたは検像サーバの構成の一例を示すブロック図である。
【図４】図１に示すコンソールの構成の一例を示すブロック図である。
【図５】検像サーバに設けられたレジスタの構成の一例を示す図解図である。
【図６】検像サーバに設けられた他のレジスタの構成の一例を示す図解図である。
【図７】検像サーバに設けられたその他のレジスタの構成の一例を示す図解図である。
【図８】ＲＩＳ端末のモニタに表示される検査情報シート画面の一例を示す図解図である。
【図９】ＲＩＳ端末のモニタに表示される検査情報シート画面の他の一例を示す図解図である。
【図１０】ＲＩＳ端末のモニタに表示される検査情報シート画面のその他の一例を示す図解図である。
【図１１】コンソールのモニタに表示される線量情報画面の一例を示す図解図である。
【図１２】検像端末のモニタに表示される基本画面の一例を示す図解図である。
【図１３】検像端末のモニタに表示される線量管理部位画面の一例を示す図解図である。
【図１４】検像端末のモニタに表示される施設線量評価画面の一例を示す図解図である。
【図１５】検像端末のモニタに表示される集計設定画面の一例を示す図解図である。
【図１６】検像端末のモニタに表示される個人線量評価画面の一例を示す図解図である。
【図１７】検像端末のモニタに表示される個人線量評価画面の他の一例を示す図解図である。
【図１８】検像端末のモニタに表示されるＤＤＲ設定画面の一例を示す図解図である。
【図１９】ＲＩＳサーバに設けられたＣＰＵの動作の一部を示すフロー図である。
【図２０】ＲＩＳサーバに設けられたＣＰＵの動作の他の一部を示すフロー図である。
【図２１】ＲＩＳ端末に設けられたＣＰＵの動作の一部を示すフロー図である。
【図２２】ＲＩＳ端末に設けられたＣＰＵの動作の他の一部を示すフロー図である。
【図２３】ＲＩＳ端末に設けられたＣＰＵの動作のその他の一部を示すフロー図である。
【図２４】コンソールに設けられたＣＰＵの動作の一部を示すフロー図である。
【図２５】コンソールに設けられたＣＰＵの動作の他の一部を示すフロー図である。
【図２６】検像端末に設けられたＣＰＵの動作の一部を示すフロー図である。
【図２７】検像端末に設けられたＣＰＵの動作の他の一部を示すフロー図である。
【図２８】検像端末に設けられたＣＰＵの動作のその他の一部を示すフロー図である。
【図２９】検像端末に設けられたＣＰＵの動作のさらにその他の一部を示すフロー図である。
【図３０】検像端末に設けられたＣＰＵの動作の他の一部を示すフロー図である。
【図３１】検像端末に設けられたＣＰＵの動作のその他の一部を示すフロー図である。
【図３２】検像端末に設けられたＣＰＵの動作のさらにその他の一部を示すフロー図である。
【図３３】検像端末に設けられたＣＰＵの動作の他の一部を示すフロー図である。
【発明を実施するための形態】
【００２６】
図１を参照して、この実施例の医療システムは、医療施設内に設けられた院内ＬＡＮ１００と、院内ＬＡＮ１００によって互いに接続されたＨＩＳサーバ２０，ＲＩＳサーバ３０，コンソール５０，検像サーバ７０，ＰＡＣＳ９０とを備える。ＨＩＳ端末１０はＨＩＳサーバ２０に接続され、放射線科情報端末（以下、「ＲＩＳ端末という。）４０はＲＩＳサーバ３０に接続され、放射線撮影装置（以下、単に「撮影装置」と言う。）６０はコンソール５０に接続され、検像端末８０は検像サーバ７０に接続される。
【００２７】
このうち、ＲＩＳサーバ３０，ＲＩＳ端末４０，コンソール５０および撮影装置６０は、放射線科に設けられる。また、ＲＩＳ端末４０，コンソール５０および検像端末８０は、放射線撮影支援システムを構成する。
【００２８】
ＲＩＳ端末４０は、図２に示すように構成される。図２によれば、バスＢＳ４には、通信Ｉ／Ｆ４０ｃｓ，ＣＰＵ４０ｐｒ，キーボード／マウス４０ｋｍ，モニタ４０ｍｔ，ＤＲＡＭ４０ｍｍおよびＨＤＤ４０ｄｒが接続される。ＲＩＳサーバ３０とは通信Ｉ／Ｆ４０ｃｓによって接続され、ＲＩＳサーバ３０とのやり取りは通信Ｉ／Ｆ４０ｃｓを介して実行される。
【００２９】
検像端末８０もまた、図２に示すように構成される。バスＢＳ８には、通信Ｉ／Ｆ８０ｃｓ，ＣＰＵ８０ｐｒ，キーボード／マウス８０ｋｍ，モニタ８０ｍｔ，ＤＲＡＭ８０ｍｍおよびＨＤＤ８０ｄｒが接続される。検像サーバ７０とは通信Ｉ／Ｆ８０ｃｓによって接続され、ＲＩＳサーバ３０とのやり取りは通信Ｉ／Ｆ８０ｃｓを介して実行される。
【００３０】
ＲＩＳサーバ３０は、図３に示すように構成される。図３によれば、バスＢＳ３には、通信Ｉ／Ｆ３０ｃｎ，ＣＰＵ３０ｐｒ，ＤＲＡＭ３０ｍｍ，通信Ｉ／Ｆ３０ｃｔおよびＨＤＤ３０ｄｒが接続される。院内ＬＡＮ１００とは通信Ｉ／Ｆ３０ｃｎによって接続され、ＲＩＳ端末４０とは通信Ｉ／Ｆ３０ｃｔによって接続される。したがって、院内ＬＡＮ１００とのやり取りは通信Ｉ／Ｆ３０ｃｎを介して実行され、ＲＩＳ端末４０とのやり取りは通信Ｉ／Ｆ３０ｃｔを介して実行される。なお、ＨＤＤ３０ｄｒには、データベースＤＢ１が設けられる。
【００３１】
検像サーバ７０もまた、図３に示すように構成される。バスＢＳ７には、通信Ｉ／Ｆ７０ｃｎ，ＣＰＵ７０ｐｒ，ＤＲＡＭ７０ｍｍ，通信Ｉ／Ｆ７０ｃｔおよびＨＤＤ７０ｄｒが接続される。院内ＬＡＮ１００とは通信Ｉ／Ｆ７０ｃｎによって接続され、検像端末８０とは通信Ｉ／Ｆ７０ｃｔによって接続される。したがって、院内ＬＡＮ１００とのやり取りは通信Ｉ／Ｆ７０ｃｎを介して実行され、検像端末８０とのやり取りは通信Ｉ／Ｆ７０ｃｔを介して実行される。なお、ＨＤＤ７０ｄｒには、図５，図６および図７にそれぞれ示すレジスタＲＧＳＴ１，ＲＧＳＴ２およびＲＧＳＴ３が設けられる。
【００３２】
コンソール５０は、図４に示すように構成される。図４によれば、バスＢＳ５には、通信Ｉ／Ｆ５０ｃｎ，ＣＰＵ５０ｐｒ，キーボード／マウス５０ｋｍ，モニタ５０ｍｔ，ＤＲＡＭ５０ｍｍ，ＨＤＤ５０ｄｒおよび通信Ｉ／Ｆ５０ｃｍが接続される。院内ＬＡＮ１００とは通信Ｉ／Ｆ５０ｃｎによって接続され、撮影装置６０とは通信Ｉ／Ｆ５０ｃｍによって接続される。したがって、院内ＬＡＮ１００とのやり取りは通信Ｉ／Ｆ５０ｃｎを介して実行され、撮影装置６０とのやり取りは通信Ｉ／Ｆ５０ｃｍを介して実行される。
【００３３】
図５を参照して、レジスタＲＧＳＴ１は、後述する統計グラフを作成する際に参照される集計設定を登録するためのレジスタであり、検査部位，検査目的，プロトコル名，シリーズ名，単純・造影の区別，撮影装置の種別，検査日付の範囲，年齢の範囲，体重の範囲を項目として有する。
【００３４】
図６を参照して、レジスタＲＧＳＴ２は、ＤＲＲ(Diagnostic Reference Range)情報を検査部位毎に登録するためのレジスタである。ここで、検査部位としては、“頭部”，“胸部”，“胸腹部”，“腹部”，“肝臓ダイナミック”，“冠動脈”，“小児頭部”，“小児胸部”，“小児腹部”が想定される。また、ＤＲＲ情報は患者が被ばくする放射線量の推奨範囲を示す情報であり、推奨範囲の上方値および下方値は“ｍＧｙ”を単位とするＳＳＤＥ(Size Specific Dose Estimation)値で表現される。
【００３５】
上方値および下方値は、Ｄｗ(Water Equivalent Diameter)値が１４ｃｍ以下の範囲，Ｄｗ値が１５ｃｍ〜１９ｃｍ未満の範囲，Ｄｗ値が２０ｃｍ〜２４ｃｍ未満の範囲，Ｄｗ値が２５ｃｍ〜２９ｃｍ未満の範囲，Ｄｗ値が３０ｃｍ以上の範囲の各々に割り当てられる。なお、Ｄｗ値は、患者の体格に相関する係数であり、撮影装置６０の予備撮影（後述）によって検出される。
【００３６】
図７を参照して、レジスタＲＧＳＴ３は、後述する検査情報シートの原因・対策欄に記載されたコメントを登録するためのレジスタである。コメントは、検査情報シートのＩＤとともにレジスタＲＧＳＴ３に登録される。
【００３７】
ＲＩＳサーバ３０に設けられたＣＰＵ３０ｐｒは、図１９〜図２０に示すフロー図に従う処理を実行し、ＲＩＳ端末４０に設けられたＣＰＵ４０ｐｒは、図２１〜図２３に示すフロー図に従う処理を実行する。また、コンソール５０に設けられたＣＰＵ５０ｐｒは、図２４〜図２５に示すフロー図に従う処理を実行し、検像端末８０に設けられたＣＰＵ８０ｐｒは、図２６〜図３３に示すフロー図に従う処理を実行する。
【００３８】
図１９〜図２０に示すフロー図に対応する制御プログラムはＨＤＤ３０５に記憶され、図２１〜図２３に示すフロー図に対応する制御プログラムはＨＤＤ４０６に記憶され、図２４〜図２５に示すフロー図に対応する制御プログラムはＨＤＤ５０６に記憶され、図２６〜図３３に示すフロー図に対応する制御プログラムはＨＤＤ８０６に記憶される。以下では、可能な限り患者の受診の流れに沿って各フロー図の処理を説明する。
【００３９】
主治医は、医療施設を訪れた患者を診断し、ＨＩＳ端末１０を操作して検査オーダを作成する。ＨＩＳサーバ２０は、主治医によって作成された検査オーダを院内ＬＡＮ１００を介してＲＩＳサーバ３０に通知する。図１９に示すステップＳ１では、こうして通知された検査オーダが受信されたか否かを判別する。
【００４０】
判別結果がＮＯであればそのままステップＳ５に進み、判別結果がＹＥＳであればステップＳ３で以下の処理を実行してからステップＳ５に進む。つまり、ステップＳ３では、通知された検査オーダに基づいて検査情報シートを作成し、作成された検査情報シートをＨＤＤ３０ｄｒに設けられたデータベースＤＢ１に保存する。
【００４１】
検査情報シートには、患者情報（患者名，性別，生年月日，検査日付，外来／入院の区別，身長，体重など）の他に、撮影情報（検査部位，検査目的，プロトコル名，シリーズ名，単純・造影の区別，撮影装置の種別，撮影条件，Ｄｗ値，撮影線量）が記載される。
【００４２】
ここで、撮影条件は、管電圧，管電流，ヘリカルピッチ，ローテーションタイムによって定義される。また、撮影線量は、放射線撮影によって患者が被ばくした放射線量に相当し、上述した“ＳＳＤＥ”と同義である。ただし、ステップＳ３の処理の時点では、撮影条件，Ｄｗ値および撮影線量は未定とされ、検査情報シートのステータスは“受付待ち”を示す。
【００４３】
主治医の診断を受けた患者は放射線科に移動し、放射線撮影を受けることを放射線科の撮影技師に伝える。すると、撮影技師は、ＲＩＳ端末４０のキーボード／マウス４０ｋｍを用いて検査情報シート表示操作を行う。図２１に示すステップＳ３１では、この操作が行われたか否かを繰り返し判別する。判別結果がＮＯからＹＥＳに更新されるとステップＳ３３に進み、シート転送要求をＲＩＳサーバ３０に向けて発行する。
【００４４】
図１９に戻って、ステップＳ５では、こうして発行されたシート転送要求を受信したか否かを判別する。判別結果がＹＥＳであればステップＳ７に進み、ステータスが“受付待ち”を示す検査情報シートをデータベースＤＢ１から探索する。ステップＳ９では探索結果が“探知”を示すか否かを判別し、判別結果がＮＯであればステップＳ１に戻る一方、判別結果がＹＥＳであればステップＳ１１に進む。ステップＳ１１では、探知した検査情報シートをＲＩＳ端末４０に転送する。
【００４５】
図２１を参照して、ステップＳ３５ではＲＩＳサーバ３０から検査情報シートを受信したか否かを判別し、ステップＳ３７ではタイムアウトが生じたか否かを判別する。ステップＳ３５の判別結果およびステップＳ３７の判別結果のいずれもがＮＯであればステップＳ３５に戻り、ステップＳ３７の判別結果がＹＥＳであればステップＳ３１に戻り、ステップＳ３５の判別結果がＹＥＳであればステップＳ３９に進む。
【００４６】
ステップＳ３９では、検査情報シート画面をＤＲＡＭ４０ｍｍに展開する。展開された検査情報シート画面は、モニタ４０ｍｔによって読み出されかつ表示される。検査情報シート画面にはＲＩＳサーバ３０から受信した検査情報シートの記載が反映され、図８に示す要領でモニタ４０ｍｔに表示される。
【００４７】
ステップＳ４１では、受信した検査情報シートのステータスを“受付済み”に変更する。ステップＳ４３では、今回放射線撮影を受ける患者に対する前回の放射線撮影時に作成された検査情報シートをデータベースＤＢ１から探索する。
【００４８】
ステップＳ４５では探索結果が“探知”を示すか否かを判別し、判別結果がＮＯであればそのままステップＳ５９に進む一方、判別結果がＹＥＳであればステップＳ４７〜Ｓ５７で以下の処理を実行してからステップＳ５９に進む。
【００４９】
なお、以下の処理で参照されるレジスタＲＧＳＴ１〜ＲＧＳＴ３は検像サーバ７０のＨＤＤ７０ｄｒに設けられるため、レジスタＲＧＳＴ１〜ＲＧＳＴ３へのアクセスは、ＲＩＳサーバ３０を通して実行される。このときのＲＩＳサーバ３０の処理は、図２０に示すステップＳ２９で実行される。
【００５０】
ステップＳ４７ではレジスタＲＧＳＴ１から集計設定を検出し、ステップＳ４９ではＲＧＳＴ２からＤＲＲ情報を検出する。また、ステップＳ５１では、ステップＳ４３の処理によって探知した検査情報シートから患者情報，Ｄｗ値および撮影情報を検出する。ステップＳ５３では、こうして検出された集計設定，ＤＲＲ情報，患者情報，Ｄｗ値および撮影情報に基づいて検査ガイドＥＧ１を作成し、作成した検査ガイドＥＧ１をＤＲＡＭ４０ｍｍ上の検査情報シート画面に上書きする。この結果、検査ガイドＥＧ１がモニタ４０ｍｔに追加表示される。
【００５１】
図９を参照して、検査ガイドＥＧ１は上下左右に区分された４つの欄によって形成される。集計設定は、右上欄において文字で表現される。ＤＲＲ情報は、左上欄においてグラフ（横軸：Ｄｗ値，縦軸：ＳＳＤＥ値）で表現されるとともに、右下欄において文字で表現される。患者情報および撮影情報は、左下欄に文字で表現される。
【００５２】
より詳しくは、右上欄には、集計設定のうち“検査部位”，“年齢の範囲”，“プロトコル名”，“単純／造影の区別”および“撮影装置の種別”が記載される。また、右下欄には、Ｄｗ値とＤＲＲ情報との対応関係が記載される。ＤＲＲ情報を定義する上方値および下方値は、集計設定のうちの“検査部位”の項目に対応する。
【００５３】
左下欄には、前回の放射線撮影時に検出されたＤｗ値，前回の撮影線量（前回の放射線撮影時に患者が被ばくした放射線量），前回の撮影条件（管電圧，管電流，ヘリカルピッチ，ローテーションタイム）および前回の放射線撮影時の患者情報（検査日付，年齢）が記載される。左上欄には、右下欄に記載されたＤｗ値とＤＲＲ情報との対応関係を表すグラフが描画され、さらに前回の放射線撮影時のＤｗ値および撮影線量に相当する座標に星印が描画される。
【００５４】
図２２に戻って、ステップＳ５５では、ステップＳ４３の処理によって探知した検査情報シートのＩＤがレジスタＲＧＳＴ１に記載されているか否かを判別する。上述のとおり、レジスタＲＧＳＴ１には、検査情報シートに付された原因・対策のコメントと同じコメントが検査情報シートのＩＤとともに記載される。したがって、ステップＳ５５の処理は、探知した検査情報シートに原因・対策のコメントが付されているか否かを判別する処理に等しい。
【００５５】
ステップＳ５５の判別結果がＮＯであればそのままステップＳ５９に進み、ステップＳ５５の判別結果がＹＥＳであればステップＳ５７で以下の処理を実行してからステップＳ６１に進む。つまり、ステップＳ５７では、ステップＳ４３の処理によって探知した検査情報シートのＩＤとともに記載されたコメントをレジスタＲＧＳＴ１から検出し、検出したコメントをＤＲＡＭ４０ｍｍ上の検査情報シート画面に上書きする。上書きされたコメントは検査ガイドＥＧ１の一部をなし、モニタ４０ｍｔの表示は図９から図１０に更新される。
【００５６】
撮影技師は、こうして表示された検査ガイドＥＧ１を確認することで、どのような撮影条件で放射線撮影を実行するのが患者にとって最適であるかを判断することができる。
【００５７】
ステップＳ５９ではキーボード／マウス４０ｋｍによって終了操作が行われたか否かを判別し、ステップＳ６１ではキーボード／マウス４０ｋｍによって他の操作が行われたか否かを判別する。
【００５８】
ステップＳ５９の判別結果およびステップＳ６１の判別結果のいずれもがＮＯであれば、ステップＳ５９に戻る。ステップＳ６１の判別結果がＹＥＳであれば他の処理に進み、ステップＳ５９の判別結果がＹＥＳであればステップＳ６３に進む。
【００５９】
ステップＳ６３では、検査情報シート画面をＤＲＡＭ４０ｍｍから消去する。この結果、検査情報シート画面がモニタ４０ｍｔから消失する。ステップＳ６５では、ステップＳ４１の処理を施された検査情報シート（＝ステータスが“受付済み”に変更された検査情報シート）を終了通知とともにＲＩＳサーバ３０に転送する。転送が完了すると、ステップＳ３１に戻る。
【００６０】
図１９に示すステップＳ１３では、こうして転送された終了通知を受信したか否かを繰り返し判別する。判別結果がＮＯからＹＥＳに更新されると、ステップＳ１５に進み、終了通知とともに受信した検査情報シートをデータベースＤＢ１に上書き保存する。ステップＳ１５の処理が完了すると、ステップＳ１に戻る。
【００６１】
こうして検査オーダの受け付けが完了すると、撮影技師は、撮影装置６０に患者を配置し、コンソール５０と向き合う。図２４を参照して、ステップＳ７１ではシート転送要求をＭＷＭ方式でＲＩＳサーバ３０に発行する。図２０に示すステップＳ１７では、コンソール５０から発行されたシート転送要求を受信したか否かを判別する。判別結果がＮＯであればステップＳ２９の処理を経てステップＳ１に戻る一方、判別結果がＹＥＳであればステップＳ１９に進む。
【００６２】
ステップＳ１９ではステータスが“受付済み”を示す検査情報シートをデータベースＤＢ１から探索し、ステップＳ２１では探索結果が“探知”を示すか否かを判別する。判別結果がＮＯであればステップＳ１に戻る一方、判別結果がＹＥＳであればステップＳ２３に進む。ステップＳ２３では、探知した検査情報シートをＭＷＭ方式でコンソール５０に転送する。
【００６３】
ステップＳ７３では検査情報シートをＲＩＳサーバ３０から受信したか否かを判別し、判別結果がＮＯであればステップＳ７１に戻る一方、判別結果がＹＥＳであればステップＳ７５に進む。ステップＳ７５では、図１１に示す線量情報画面をＤＲＡＭ５０ｍｍに展開する。展開された線量情報画面は、モニタ５０ｍｔによって読み出されかつ表示される。
【００６４】
図１１を参照して、線量情報画面の右欄には、予備撮影時の撮影条件を定義する管電圧，管電流，ヘリカルピッチおよびローテーションタイムが表示される。ただし、この時点では、Ｄｗ値および撮影線量は空欄とされ、線量情報画面の左欄もまた黒画像で塗り潰される。
【００６５】
ステップＳ７７ではキーボード／マウス５０ｋｍによって予備撮影操作が行われたか否かを繰り返し判別し、判別結果がＮＯからＹＥＳに更新されるとステップＳ７７で予備撮影を実行する。
【００６６】
ステップＳ８１では、予備撮影によって得られた撮影画像に基づいてＤｗ値を算出するとともに、デフォルトの撮影条件で放射線撮影を実行した場合に患者が被ばくする放射線量つまり撮影線量を算出する。ステップＳ８３では、線量情報画面を更新する。更新後の線量情報画面には、予備撮影によって得られた撮影画像と、デフォルトの撮影条件を定義する管電圧，管電流，ヘリカルピッチおよびローテーションタイムと、ステップＳ８１で算出されたＤｗ値および撮影線量とが、線量情報画面に表示される。
【００６７】
ステップＳ８５ではキーボード／マウス５０ｋｍによって撮影条件調整操作が行われたか否かを判別し、判別結果がＮＯであればそのままステップＳ９１に進む一方、判別結果がＹＥＳであればステップＳ８７で撮影条件を調整してからステップＳ８９に進む。ステップＳ８９では、線量情報画面に表示された管電圧，管電流，ヘリカルピッチおよびローテーションタイムを調整後の撮影条件を定義する数値に更新し、線量情報画面に表示された撮影線量を更新後の撮影条件とステップＳ８１で算出されたＤｗ値とに基づいて更新する。
【００６８】
ステップＳ９１ではキーボード／マウス５０ｋｍによって撮影実行操作が行われたか否かを判別し、判別結果がＮＯであればステップＳ８５に戻る一方、判別結果がＹＥＳであればステップＳ９３で放射線撮影を実行する。この結果、検査部位の断層を表す撮影画像が得られる。
【００６９】
ステップＳ９５では、こうして得られた撮影画像を収めたＤＩＣＯＭファイルを作成する。ステップＳ９７では、作成されたＤＩＣＯＭファイルを院内ＬＡＮ１００を介して検像サーバ７０に転送する。転送されたＤＩＣＯＭファイルは、ＨＤＤ７０ｄｒに保存される。
【００７０】
ステップＳ９９では、線量情報画面に表示された撮影条件，Ｄｗ値および撮影線量をステップＳ７１の処理によって受信した検査情報シートに上書きする。ステップＳ１０１では、同じ検査情報シートのステータスを“検査済み”に更新する。
【００７１】
ステップＳ１０１の処理が完了すると、ステップＳ１０３で線量情報画面をＤＲＡＭ５０ｍｍから消去する。この結果、線量情報画面がモニタ５０ｍｔから消失する。ステップＳ１０５では、終了通知をＭＰＰＳ方式でＲＩＳサーバ３０に転送する。ステップＳ１０７では、ステップＳ９９およびＳ１０１の処理を施された検査情報シートを検像サーバ７０に転送する。転送された検査情報シートは、検像サーバ７０に設けられたＨＤＤ７０ｄｒに保存される。ステップＳ１０７の処理が完了するとステップＳ７１に戻る。
【００７２】
図２０に示すステップＳ２５では、こうして転送された終了通知を受信したか否かを繰り返し判別する。判別結果がＮＯからＹＥＳに更新されると、ステップＳ２７に進み、データベースＤＢ１上の対応する検査情報シートを消去する。ステップＳ２７の処理が完了すると、ステップＳ１に戻る。
【００７３】
検像技師は、検像サーバ７０に保存されたＤＩＣＯＭファイルを対象として検像作業を行うために検像端末８０に向かう。図２６を参照して、ステップＳ１１１では、ＨＤＤ７０ｄｒに保存された検査情報シートに基づいて基本画面を作成し、作成した基本画面をＤＲＡＭ８０ｍｍに展開する。展開された基本画面はモニタ８０ｍｔによって読み出され、図１２に示す要領で表示される。
【００７４】
図１２によれば、複数の検査情報シートにそれぞれ対応する複数のカラムが基本画面の上段に表示され、「線量管理」ボタンが基本画面の右上に表示される。また、ＤＲＲ情報が示す推奨範囲を外れる撮影線量が記載された検査情報シートに対応するカラムには、アラートＡＬＴが表示される。検像技師は、こうして表示された基本画面を確認しながらキーボード／マウス８０ｋｍを操作する。
【００７５】
ステップＳ１１３ではキーボード／マウス８０ｋｍによってカラム選択操作が行われたか否かを判別し、ステップＳ１１５ではキーボード／マウス８０ｋｍによって「線量管理」ボタンが押されたか否かを判別する。
【００７６】
また、ステップＳ１１７ではキーボード／マウス８０ｋｍによってアラートＡＬＴがクリックされたか否かを判別し、ステップＳ１１９ではキーボード／マウス８０ｋｍによって他の操作が行われたか否かを判別する。
【００７７】
ステップＳ１１３〜Ｓ１１９のいずれの判別結果もＮＯであれば、ステップＳ１１３に戻る。ステップＳ１１３の判別結果がＹＥＳであればステップＳ１２１に進み、ステップＳ１１５の判別結果がＹＥＳであればステップＳ１３３に進む。また、ステップＳ１１７の判別結果がＹＥＳであればステップＳ１６９に進み、ステップＳ１１９の判別結果がＹＥＳであれば他の処理に進む。
【００７８】
ステップＳ１２１では、カラム選択操作によって選択されたカラムに対応するＤＩＣＯＭファイルを検像サーバ７０に設けられたＨＤＤ７０ｄｒから取得する。ステップＳ１２３では、取得したＤＩＣＯＭファイル内の撮影画像をＤＲＡＭ８０ｍｍに展開する。展開された撮影画像はモニタ８０ｍｔによって読み出され、基本画面の代わりに表示される。
【００７９】
ステップＳ１２５ではキーボード／マウス８０３によって検像完了操作が行われたか否かを判別し、ステップＳ１２７では他の操作が行われたか否かを判別する。ステップＳ１２５の判別結果およびステップＳ１２７の判別結果のいずれもがＮＯであればステップＳ１２５に戻り、ステップＳ１２７の判別結果がＹＥＳであれば他の処理に進み、ステップＳ１２５の判別結果がＹＥＳであればステップＳ１２９に進む。
【００８０】
ステップＳ１２９では、表示中の撮影画像を収めたＤＩＣＯＭファイルのＰＡＣＳ９０への転送を検像サーバ７０に要求する。検像サーバ７０は、対象ＤＩＣＯＭファイルを院内ＬＡＮ１００を介してＰＡＣＳ９０に転送する。ステップＳ１３１では撮影画像をＤＲＡＭ８０ｍｍから消去し、消去が完了するとステップＳ１１１に戻る。この結果、モニタ８０ｍｔの表示は基本画面に復帰する。
【００８１】
ＰＡＣＳ９０に保存されたＤＩＣＯＭファイルは、主治医がＨＩＳ端末１０を操作することで、ＨＩＳ端末１０に転送される。転送されたＤＩＣＯＭファイル内の撮影画像は、主治医の診断のために参照される。
【００８２】
検像技師は、ＤＲＲ情報が示す推奨範囲を医療施設単位で調整するとき、「線量管理」ボタンまたはアラートＡＬＴをクリックする。上述のように、「線量管理」ボタンがクリックされたときはステップＳ１３３に進み、アラートＡＬＴがクリックされたときはステップＳ１６９に進む。
【００８３】
ステップＳ１３３では、線量管理部位画面をＤＲＡＭ８０ｍｍに展開する。展開された線量管理部位画面はモニタ８０ｍｔによって読み出され、図１３に示す要領で表示される。図１３によれば、“頭部”，“胸部”，“胸腹部”，“腹部”，“肝臓ダイナミック”，“冠動脈”，“小児頭部”，“小児胸部”，“小児腹部”の９つの部位ボタンが線量管理部位画面に表示される。また、線量管理部位画面の右上には、「Ｘ」ボタンが表示される。
【００８４】
ステップＳ１３５ではキーボード／マウス８０ｋｍによっていずれかの部位ボタンがクリックされたか否かを判別し、ステップＳ１３７ではキーボード／マウス８０ｋｍによって「Ｘ」ボタンがクリックされたか否かを判別する。
【００８５】
ステップＳ１３５の判別結果およびステップＳ１３７の判別結果のいずれもがＮＯであれば、ステップＳ１３５に戻る。ステップＳ１３７の判別結果がＹＥＳであれば、ステップＳ１３９で線量管理部位画面をＤＲＭ８０ｍｍから消去し、その後にステップＳ１１１に戻る。この結果、モニタ８０ｍｔの表示は基本画面に復帰する。ステップＳ１３５の判別結果がＹＥＳであれば、ステップＳ１４１に進む。
【００８６】
ステップＳ１４１では、図３３に示すサブルーチンに従って施設線量評価画面を表示する。図３３を参照して、ステップＳ２２１では施設線量評価画面の枠をＤＲＡＭ８０ｍｍに展開する。展開された枠はモニタ８０ｍｔによって読み出され、図１４に示す要領で表示される。
【００８７】
図１４によれば、Ｄｗ値およびＳＳＤＥ値が横軸および縦軸にそれぞれ割り当てられたグラフが施設線量評価画面の上段に表示され、ＳＳＤＥ値および放射線撮影回数が横軸および縦軸にそれぞれ割り当てられたグラフが施設線量評価画面の下段に表示される。
【００８８】
また、上段のグラフおよび下段のグラフの間には、横方向に移動可能なＤｗ値目盛りが表示される。さらに、施設線量評価画面の右側には「集計設定」ボタン，「個人評価」ボタンおよび「閉じる」ボタンが表示される。
【００８９】
なお、Ｄｗ値目盛りは、デフォルトで“１５ｃｍ”に合わせられる。また、ステップＳ２２１の処理の時点では、いずれのグラフも空欄とされる。
【００９０】
ステップＳ２２３では、レジスタＲＧＳＴ１に登録された検査部位に対応するＤＲＲ情報（＝５つの上方値および５つの下方値）をレジスタＲＧＳＴ２から検出し、検出したＤＲＲ情報によって定義される２つの線を上段のグラフに描画する。ステップＳ２２３ではまた、Ｄｗ値目盛りによって示されるＤｗ値が属する範囲（デフォルトで“１５ｃｍ〜１９ｃｍ”）を検出し、検出した範囲を示す数値と、この範囲に対応する上方値および下方値とを、下段のグラフの右側に表示する。ステップＳ２２３ではさらに、上方値および下方値にそれぞれ沿って縦方向に延びる２つの線を下段のグラフに描画する。
【００９１】
ステップＳ２２５では、ＨＤＤ７０ｄｒに保存された検査情報シートの中からレジスタＲＧＳＴ１に登録された集計設定に適合する検査情報シートを取得する。ステップＳ２２７では、Ｄｗ値目盛りが示すＤｗ値が属する範囲（デフォルトで“１５ｃｍ〜１９ｃｍ”）を検出し、検出した範囲に対応する検査情報シートをステップＳ２２５で取得した検査情報シートの中から抽出する。
【００９２】
ステップＳ２２９では、抽出した検査情報シートに記載された撮影線量を統計し、統計情報（＝縦に延びる複数の棒）を下段のグラフに描画する。ステップＳ２２９ではまた、統計によって得られた平均値，最頻値，最大値および最小値を下段のグラフの右側に表示する。ステップＳ２２９の処理が完了すると、上階層のルーチンに復帰する。
【００９３】
図２８に戻って、ステップＳ１４３では、キーボード／マウス８０ｋｍによってＤｗ値目盛り移動操作が行われたか否かを判別する。判別結果がＮＯであればそのままステップＳ１４９に進む一方、判別結果がＹＥＳであればステップＳ１４５およびＳ１４７で以下の処理を実行してからステップＳ１４９に進む。
【００９４】
つまり、ステップＳ１４５では、Ｄｗ値目盛りを指定方向に移動させる。ステップＳ１４７では、移動後のＤｗ値目盛りが示すＤｗ値が属する範囲を特定し、上述のステップＳ２２７〜Ｓ２２９と同様の処理によって統計情報を更新する。
【００９５】
ステップＳ１４９ではキーボード／マウス８０ｋｍによって「閉じる」ボタンがクリックされたか否かを判別し、ステップＳ１５３ではキーボード／マウス８０ｋｍによって「個人評価」ボタンがクリックされたか否かを判別し、ステップＳ１５５ではキーボード／マウス８０ｋｍによって「集計設定」ボタンがクリックされたか否かを判別する。
【００９６】
ステップＳ１４９，Ｓ１５３およびＳ１５５のいずれの判別結果もＮＯであればステップＳ１４３に戻る。ステップＳ１４９の判別結果がＹＥＳであれば、ステップＳ１５１で施設線量評価画面をＤＲＭ８０ｍｍから消去し、その後にステップＳ１３３に戻る。この結果、モニタ８０ｍｔの表示は線量管理部位画面に復帰する。
【００９７】
ステップＳ１５５の判別結果がＹＥＳであれば、ステップＳ１５７で集計設定画面をＤＲＡＭ８０ｍｍに展開する。展開された集計設定画面はモニタ８０ｍｔによって読み出され、図１５に示す要領で表示される。
【００９８】
図１５によれば、集計設定画面は、検査部位，検査目的，プロトコル名，シリーズ名，単純・造影の区別，撮影装置の種別，検査日付の範囲，年齢の範囲，体重の範囲を項目として有する。また、集計設定画面の右下には、「設定」ボタンおよび「閉じる」ボタンが表示される。
【００９９】
ステップＳ１６１ではキーボード／マウス８０ｋｍによって設定変更操作（＝所望の項目の記載を変更し、かつ「設定」ボタンをクリックする操作）が行われたか否かを判別し、判別結果がＮＯであればそのままステップＳ１６３に進む一方、判別結果がＹＥＳであればステップＳ１６１でレジスタＲＧＳＴ１の設定を変更してからステップＳ１６３に進む。
【０１００】
ステップＳ１６３では、キーボード／マウス８０ｋｍによって「閉じる」ボタンがクリックされたか否かを判別する。判別結果がＮＯであればステップＳ１５９に戻る一方、判別結果がＹＥＳであればステップＳ１６５で集計設定画面をＤＲＭ８０ｍｍから消去する。
【０１０１】
ステップＳ１６７では、上述したステップＳ２２３〜Ｓ２２９と同様の処理によってＤＲＲ情報および／または統計情報を更新する。ステップＳ１６７の処理が完了すると、ステップＳ１４１に戻る。この結果、モニタ８０ｍｔの表示は施設線量評価画面に復帰する。
【０１０２】
ステップＳ１５３の判別結果がＹＥＳであればステップＳ１６９に進み、個人線量評価画面をＤＲＡＭ８０ｍｍに展開する。なお、ステップＳ１６９の処理は、アラートＡＬＴがクリックされたときにも実行される（図２６参照）。展開された個人線量評価画面はモニタ８０ｍｔによって読み出され、図１６に示す要領で表示される。
【０１０３】
図１６によれば、施設線量評価画面の下段に表示されたグラフと同じグラフが個人線量評価画面の上段に表示され、横方向に延びるＳＳＤＥ値目盛りが個人線量評価画面の中段に表示され、施設線量評価画面の右側に表示された数値と同じ数値が個人線量評価画面の上段のグラフの右側に表示される。
【０１０４】
個人線量評価画面の下段には、Ｄｗ値目盛りによって特定される検査情報シート上の撮影情報或いはクリックされたアラートＡＬＴを有するカラムによって特定される検査情報シート上の撮影情報が記載され、かつこの検査情報シートに対応する撮影画像が描かれた患者ページが表示される。検査情報シートがＤｗ値目盛りによって特定され、かつ特定された検査情報シートの枚数が２以上であれば、２以上の患者ページが重ねて表示される。また、各患者ページには患者識別タブが付される。
【０１０５】
個人線量評価画面にはまた、「ＤＲＲ設定」ボタン，「閉じる」ボタンおよび「原因・対策」ボタンが表示される。このうち、「ＤＲＲ設定」ボタンおよび「閉じる」ボタンはグラフおよび患者ページの外側に表示され、「原因・対策」ボタンは患者ページ上に表示される。
【０１０６】
なお、ステップＳ１１７からステップＳ１８５に移行した場合、患者ページには、クリックされたカラムに対応する検査情報シート上の撮影情報が記載され、かつこの検査情報シートに対応する撮影画像が描かれる。また、表示される患者ページ数は“１”である。
【０１０７】
ステップＳ１７１ではこうして表示された患者ページ数が“２”以上であるか否かを判別し、ステップＳ１７３ではキーボード／マウス８０ｋｍによって患者識別タブがクリックされたか否かを判別する。ステップＳ１７１の判別結果およびステップＳ１７３の判別結果のいずれか一方がＮＯであれば、そのままステップＳ１７７に進む。
【０１０８】
これに対して、ステップＳ１７１の判別結果およびステップＳ１７３の判別結果のいずれもがＹＥＳであれば、ステップＳ１７５で患者ページの配置を更新し、その後にステップＳ１７７に進む。
【０１０９】
ステップＳ１７７ではキーボード／マウス８０ｋｍによって「原因・対策」ボタンがクリックされたか否かを判別し、ステップＳ１７９ではキーボード／マウス８０ｋｍによって「ＤＲＲ設定」ボタンがクリックされたか否かを判別し、ステップＳ１８１ではキーボード／マウス８０ｋｍによって「閉じる」ボタンがクリックされたか否かを判別する。
【０１１０】
ステップＳ１７７〜Ｓ１８１のいずれの判別結果もＮＯであれば、ステップＳ１７１に戻る。ステップＳ１８１の判別結果がＹＥＳであれば、ステップＳ１８３で個人線量評価画面をＤＲＡＭ８０ｍｍから消去し、その後にステップＳ１４１に戻る。この結果、モニタ８０ｍｔの表示は施設線量評価画面に復帰する。ステップＳ１７７の判別結果がＹＥＳであればステップＳ１８５に進み、ステップＳ１７９の判別結果がＹＥＳであればステップＳ２０３に進む。
【０１１１】
ステップＳ１８５では、原因・対策入力欄を患者ページ上に作成する。原因・対策入力欄は、図１７に示す要領で表示される。なお、原因・対策のコメントが作成済みであれば（コメントがレジスタＲＧＳＴ３に存在すれば）、当該コメントが原因・対策入力欄に表示される。
【０１１２】
ステップＳ１８７ではキーボード／マウス８０ｋｍによってコメント入力操作が行われたか否かを判別し、判別結果がＮＯであればそのままステップＳ１９１に進む。これに対して、判別結果がＹＥＳであればステップＳ１８９に進み、入力されたコメントを原因・対策入力欄に表示する。表示が完了すると、ステップＳ１９１に進む。
【０１１３】
ステップＳ１９１ではキーボード／マウス８０ｋｍによって確定操作が行われたか否かを判別し、ステップＳ１９３ではキーボード／マウス８０ｋｍによって「ＤＲＲ設定」ボタンがクリックされたか否かを判別する。
【０１１４】
ステップＳ１９１の判別結果およびステップＳ１９３の判別結果のいずれもがＮＯであればステップＳ１８７に戻り、ステップＳ１９３の判別結果がＹＥＳであればステップＳ２０３に進み、ステップＳ１９１の判別結果がＹＥＳであればステップＳ１９５に進む。
【０１１５】
ステップＳ１９５では原因・対策入力欄にコメントが表示されているか否かを判別し、判別結果がＹＥＳであればステップＳ１９７に進む一方、判別結果がＮＯであればステップＳ１９９に進む。
【０１１６】
ステップＳ１９７では、患者ページの作成時に参照された検査情報シートのＩＤと原因・対策のコメントとをレジスタＲＧＳＴ３に登録する。これに対して、ステップＳ１９９では原因・対策入力欄を患者ページから消去し、ステップＳ２０１では患者ページの作成時に参照された検査情報シートのＩＤと原因・対策のコメントとをレジスタＲＧＳＴ３から削除する。ステップＳ１９７またはＳ２０１の処理が完了すると、ステップＳ１６９に戻る。
【０１１７】
ステップＳ２０３では、ＤＲＲ設定画面をＤＲＡＭ８０ｍｍに展開する。展開されたＤＲＲ設定画面はモニタ８０ｍｔによって読み出され、図１８に示す要領で表示される。
【０１１８】
図１８によれば、現時点のＳＳＤＥの値がＤＲＲ設定画面に上段に表示され、「現在のＳＳＤＥを上方値に設定する」ボタンおよび「現在のＳＳＤＥを下方値に設定する」ボタンがＤＲＲ設定画面の中段に表示される。また、上方値の入力欄および下方値の入力欄がＤＲＲ設定画面の下段に表示される。さらに、ＤＲＲ設定画面の右下には、「設定」ボタンおよび「閉じる」ボタンが表示される。
【０１１９】
ステップＳ２０５では、キーボード／マウス８０ｋｍによって上方値または下方値が入力されたか否かを判別する。判別結果がＹＥＳであればステップＳ２０９に進み、入力された上方値または下方値を上方値の入力欄または下方値の入力欄に表示する。ステップＳ２１１ではキーボード／マウス８０ｋｍによって「設定」ボタンがクリックされたか否かを判別し、判別結果がＮＯであればステップＳ２０５に戻る一方、判別結果がＹＥＳであればステップＳ２１３に進む。
【０１２０】
ステップＳ２０５の判別結果がＮＯであれば、「現在のＳＳＤＥを上方値に設定する」ボタンまたは「現在のＳＳＤＥを下方値に設定する」ボタンがキーボード／マウス８０ｋｍによってクリックされたか否かを判別する。判別結果がＮＯであればステップＳ２０５に戻り、判別結果がＹＥＳであればステップＳ２１３に進む。
【０１２１】
ステップＳ２１３では、入力された上方値または下方値あるいは現在の上方値または下方値をレジスタＲＧＳＴ２に登録する。登録先は、現時点で選択されている検査部位とＤｗ値目盛りによって示されたＤｗ値を含む範囲に対応するカラムである。
【０１２２】
ステップＳ２１５ではキーボード／マウス８０ｋｍによって「閉じる」ボタンがクリックされたか否かを判別し、判別結果がＮＯであればステップＳ２０５に戻る一方、判別結果がＹＥＳであればステップＳ２１７でＤＲＲ設定画面をＤＲＡＭ８０ｍｍから消去してからステップＳ１６９に戻る。この結果、更新されたＤＲＲ情報が個人線量評価画面に反映される。
【０１２３】
以上の説明から分かるように、放射線撮影システムは、患者を対象として放射線撮影を行う撮影装置６０から出力された撮影画像を検像作業のために表示する検像端末８０と、撮影装置６０を管理するＲＩＳ端末４０とを備える。
【０１２４】
検像端末８０に設けられたＣＰＵ８０ｐｒは、患者が被ばくする放射線量の推奨範囲を推奨範囲調整操作（「ＤＲＲ設定」ボタンをクリックする操作と、ＤＲＲ設定画面上で上方値および／または下方値を設定する操作）に従って調整する(S179, S193, S203~S213)。
【０１２５】
ＲＩＳ端末４０に設けられたＣＰＵ４０ｐｒは、検像端末８０によって調整された推奨範囲をモニタ４０ｍｔに表示し(S49, S53)、かつ同一患者が過去に被ばくした放射線量をモニタ４０ｍｔに表示する(S51, S53)。推奨範囲および放射線量はいずれも、検査ガイドＥＧ１上に描画ないし記載される。
【０１２６】
患者が被ばくする放射線量の推奨範囲は検像端末８０によって調整されるため、推奨範囲を医療施設毎に管理することができる。また、検像端末８０によって調整された推奨範囲は今回の放射線撮影の対象となる患者が過去に被ばくした放射線量とともにＲＩＳ端末４０に表示されるため、被ばく放射線量を患者毎に適正値に調整することができる。
【符号の説明】
【０１２７】
３０  …ＲＩＳサーバ
４０  …ＲＩＳ端末
５０…コンソール
６０  …モダリティ
７０  …検像サーバ
８０  …検像端末
９０  …ＰＡＣＳ
３０２，４０２，５０２，７０２，８０２  …ＣＰＵ
【図１】
2017213288.tif 000003
【図２】
2017213288.tif 000004
【図３】
2017213288.tif 000005
【図４】
2017213288.tif 000006
【図５】
2017213288.tif 000007
【図６】
2017213288.tif 000008
【図７】
2017213288.tif 000009
【図８】
2017213288.tif 000010
【図９】
2017213288.tif 000011
【図１０】
2017213288.tif 000012
【図１１】
2017213288.tif 000013
【図１２】
2017213288.tif 000014
【図１３】
2017213288.tif 000015
【図１４】
2017213288.tif 000016
【図１５】
2017213288.tif 000017
【図１６】
2017213288.tif 000018
【図１７】
2017213288.tif 000019
【図１８】
2017213288.tif 000020
【図１９】
2017213288.tif 000021
【図２０】
2017213288.tif 000022
【図２１】
2017213288.tif 000023
【図２２】
2017213288.tif 000024
【図２３】
2017213288.tif 000025
【図２４】
2017213288.tif 000026
【図２５】
2017213288.tif 000027
【図２６】
2017213288.tif 000028
【図２７】
2017213288.tif 000029
【図２８】
2017213288.tif 000030
【図２９】
2017213288.tif 000031
【図３０】
2017213288.tif 000032
【図３１】
2017213288.tif 000033
【図３２】
2017213288.tif 000034
【図３３】
2017213288.tif 000035